(57)【要約】【課題】  ドアの捩じれを防いで、外観性を良く且つスムーズな開閉を持続すること。框枠の組み立て作業を容易に行なうこと。ドアの見栄えを良好にすること。【解決手段】  左右の縦框４と上下の横框５とが矩形状に組み立てられた框枠２である。框枠２の各コーナー部において縦框４の側面部４ａから突設して、横框５の接続端部５ａを前後方向に位置決めするための前後一対の鍔部６と、縦框４の側面部４ａと横框５の接続端部５ａとの当接面に介在される板状弾性体７とを備える。板状弾性体７の厚みを鍔部６の突出寸法よりも薄肉に形成した。【選択図】        図１
2006200193.tif 000002
【特許請求の範囲】
【請求項１】
左右の縦框と上下の横框とが矩形状に組み立てられた框枠の構造であって、框枠の各コーナー部において縦框の側面部から突設して、横框の接続端部を前後方向に位置決めするための前後一対の鍔部と、縦框の側面部と横框の接続端部との当接面に介在される板状弾性体とを備え、板状弾性体の厚みを鍔部の突出寸法よりも薄肉に形成したことを特徴とする框枠の構造。
【請求項２】
上記前後一対の鍔部間の内寸法を横框の接続端部の前後方向の幅寸法よりも長くし且つ板状弾性体の前後方向の幅寸法を横框の接続端部の前後方向の幅寸法よりも長くして、板状弾性体の前後両端部を除く部分に横框の接続端部を圧接させたことを特徴とする請求項１記載の框枠の構造。
【発明の詳細な説明】
【技術分野】
【０００１】
本発明は、框枠の構造に関し、詳しくはドアの捩じれを防止する技術に関するものである。
【背景技術】
【０００２】
従来から、上吊り式のドアにおいては、左右の縦框と上下の横框とを互いに接続して矩形状に組み立てた框枠と、框枠に嵌め込まれる面板とで構成され、框枠の上端部の２箇所をランナーを介して上レールに走行自在に吊り下げるようにし、一方、框枠の下端部は例えば磁石を利用したガイド装置を利用してガイドされており、床面に対してフリーな状態となっている。このため長期に亘って開閉を繰り返すことで、ドアの面方向の回転による捩じれが発生しやすくなり、結果、ドアの外観が損なわれるだけでなく、走行不能になったり、走行中にがたついたりするという問題が生じる。特に、ドアの軽量化、低コスト化を図る場合はドアの強度が低下しており、こうしたドアにおいて捩じれの問題が数多く発生している。
【０００３】
また他の従来例として、框枠の気密性、断熱性等を高めることを目的に、左右の縦框と上下の横框とを矩形状に組み立てた框枠の各コーナー部において、縦框と横框との当接面にゴム製の縦シーラーを介在させたものが知られている（例えば、特許文献１参照）。
【０００４】
上記特許文献１に見られる縦シーラーは、框枠の各コーナー部において縦框の側面部と横框の接続端部との間に挟み込まれているが、縦框の側面部はフラット面であるため、縦框と横框とをネジ止めする際に、縦框の側面部に対する縦シーラーの位置ずれが起き易く、このため組立ネジを縦框から縦シーラーのネジ孔を貫通させて横框に螺入させる作業に手間がかかり、組み立てが困難になるという問題がある。そのうえ、縦シーラーは縦框のフラットな側面部に配置されるため、縦シーラーが室内から見えてしまい、框枠の見栄えを悪くするという問題もある。
【特許文献１】実開平２−８９１９１号公報
【発明の開示】
【発明が解決しようとする課題】
【０００５】
本発明は上記の従来の問題点に鑑みて発明したものであって、捩じれの発生を防いで、外観性を良く且つスムーズな開閉を持続できるようにし、しかも組み立て作業が容易で、そのうえ見栄えが良好な框枠の構造を提供することを課題とするものである。
【課題を解決するための手段】
【０００６】
上記課題を解決するために本発明は、左右の縦框４と上下の横框５とが矩形状に組み立てられた框枠の構造であって、框枠２の各コーナー部において縦框４の側面部４ａから突設して、横框５の接続端部５ａを前後方向Ｐに位置決めするための前後一対の鍔部６と、縦框４の側面部４ａと横框５の接続端部５ａとの当接面に介在される板状弾性体７とを備え、板状弾性体７の厚みｄ１を鍔部６の突出寸法Ｍよりも薄肉に形成したことを特徴としている。
【０００７】
このような構成とすることで、框枠２の各コーナー部において、縦框４と横框５とで挟圧される板状弾性体７の弾性力が常にドア１の面方向の回転に対して抗力となる。つまり、縦框４と横框５との捩じれを板状弾性体７の元に戻ろうとする弾性力によって防止できるので、ドア１の捩じれが発生しなくなる。しかも、框枠２の組み立て時において、縦框４から突設した前後一対の鍔部６によって横框５の接続端部５ａの位置決め、及び、板状弾性体７の位置決めがそれぞれ容易となると共に、框枠２の組み立て後は、板状弾性体７が縦框４の鍔部６，６間に隠されて外部に露出せず、室内から見えなくなるため、板状弾性体７の外観上の納まりが良くなる。
【０００８】
また、上記前後一対の鍔部６間の内寸法Ｎを横框５の接続端部５ａの前後方向Ｐの幅寸法Ｋよりも長くし且つ板状弾性体７の前後方向Ｐの幅寸法ｄ２を横框５の接続端部５ａの前後方向Ｐの幅寸法Ｋよりも長くして、板状弾性体７の前後両端部７ａ，７ｂを除く部分に横框５の接続端部５ａを圧接させるのが好ましく、この場合、横框５と鍔部６との間にクリアランスＳを確保できると共に、板状弾性体７の前後両端部７ａ，７ｂには横框５が圧接しないため、横框５と鍔部６との間のクリアランスＳの部分で、板状弾性体７の前後両端部７ａ，７ｂがそれぞれ逃げて肉盛り状態となり、横框５を板状弾性体７に食い込むように強く圧接させることが可能となり、板状弾性体７による捩じれ抑制効果がより一層高められることとなる。
【発明の効果】
【０００９】
本発明は、框枠の各コーナー部において、縦框と横框の当接面に介在される板状弾性体の弾性力によって捩じれの発生を防止でき、外観性が良く、スムーズな開閉を持続できるものである。また、框枠の組み立て時においては、縦框から突設した前後一対の鍔部によって横框の接続端部の位置決め、及び、板状弾性体の位置決めがそれぞれ容易となるので、組み立て作業がはかどる。さらに、框枠の組み立て後は、板状弾性体が縦框の鍔部間に隠されて外部に露出しないため、框枠の見栄えが良好に保たれるものである。
【発明を実施するための最良の形態】
【００１０】
以下、本発明を添付図面に示す実施形態に基いて説明する。
【００１１】
本実施形態では、図４〜図６に示すように、左右の縦框４と上下の横框５とを矩形状に接続して組み立てられる框枠２と、框枠２の内側に嵌め込まれる面板３とで構成される上吊り式ドア１を例示する。框枠２は例えばアルミニウム製とされ、面板３は例えば透光面材からなる。なお、図４中の８は縦桟、９は横桟、図５中の１０は弾性パッキンである。
【００１２】
上記框枠２の上端部の左右２箇所は、図２、図６に示すように、ランナー１１を介して上レール１２に走行自在に吊り下げられる。本例では、左右の縦框４の上端部に、それぞれ、ランナー吊り下げ部材１３が上方から挿入可能な収納凹部１４（図１）が設けられている。収納凹部１４の内側壁１４ａには、図２に示すように、上下５つの孔１５〜１９が穿孔されており、上から２番目と５番目の小径の孔は、それぞれ、縦框４と横框５とを連結する連結用孔１６，１９であり、組立ネジ２０（タッピンネジ）を連結用孔１６，１９から横框５のタッピンホール２１に螺入することで、縦框４と横框５とを互いにネジ結合できるようになっている。
【００１３】
また、上から一番目と３番目の大径の孔はそれぞれ、ランナー吊り下げ部材１３の引掛孔１５，１７であり、４番目の小径の孔はネジ螺入孔１８である。上記縦框４と横框５とを連結した後で、ランナー吊り下げ部材１３を収納凹部１４に上方から収納し、ランナー吊り下げ部材１３から突出する上下２つの突起２３，２４を２つ引掛孔１５，１７にそれぞれ引っ掛けた状態で、ランナー取付ネジ２２をランナー吊り下げ部材１３の下端部に設けたネジ孔２５からネジ螺入孔１８に螺入することで、ランナー吊り下げ部材１３を縦框４に対してネジ結合できるようになっている。なお図２中の２６は螺入作業時にランナー取付ネジ２２が落下したときにこれを受けるための落下防止板であり、端部カバー１００の下端１００ａから突設されている。端部カバー１００は、図１、図２に示す縦框４の外側壁１４ｂ上部に設けた切欠き部１４ｃ内に挿入された状態で、端部カバー１００の上端に設けた引掛片１００ａが縦框４の上端開口４ｂに引っ掛けられて係止されている。
【００１４】
上記框枠２の下端部は、例えば図７に示す磁力によるガイド装置にてガイドされる。図７において、床面３０に複数の筒状ケース（図示せず）が間隔をあけて一直線上に埋設されており、各筒状ケース内には頭部に磁石を取り付けたガイドピン２７が昇降自在に格納されている。一方、框枠２の下端面の全長に亘って、上記ガイドピン２７にガイドされる走行溝２８が形成されている。ドア１の走行開始時に走行溝２８の先端側の磁石２９がガイドピン２７を上方に引上げて走行溝２８に入り込み、この状態でガイドピン２７は走行溝２８の全長に設けた磁性板３１（図６）に磁着され続けることで、ドア１はガイドピン２７に沿って安定走行できるようになっている。その後、ドア１を走行させてガイドピン２７が走行溝２８の後端側の磁石２９から離脱すると、ガイドピン２７は下降して筒状ケースに格納された状態となる。このような磁力によるガイド装置は、例えば特開２０００−１１６５７０号公報などにより公知となっている技術を採用することができる。
【００１５】
ここで本発明において、上記構成の上吊り式のドア１においては下端部が床面３０に対してフリーとなっているため、長期に亘って開閉を繰り返すことで、ドア１に捩じれが生じやすくなる。その捩じれ対策として、図１に示すように、框枠２の各コーナー部において縦框４の側面部４ａから前後一対の鍔部６を突設させると共に、縦框４の鍔部６，６間の側面部４ａと横框５の接続端部５ａとの当接面に板状弾性体７を介在させてある。本例では前後一対の鍔部６は、縦框４の側面部４ａの上下方向の略全長に亘って形成されている。鍔部６は、横框５の接続端部５ａを框枠２の前後方向Ｐに位置決めする機能と後述の板状弾性体７を位置決めする機能とを併せ持つ。
【００１６】
また図２に示すように、上記板状弾性体７は縦框４と横框５とで左右両側から挟圧されている。この板状弾性体７はその弾性力によって縦框４と横框５とが傾く方向に捩じれるのを防止する機能を有する。板状弾性体７は、例えばゴム、或いは、軟質の合成樹脂等を平板状に成形したものであり、その上下２箇所には組立ネジ２０が貫通する開口部３５（図１）が穿孔されている。また板状弾性体７が鍔部６の外部にはみ出さないように、図３（ｂ）に示すように、板状弾性体７の厚みｄ１は鍔部６の突出寸法Ｍよりも薄肉に形成されている。
【００１７】
ここでは、図３（ｂ）に示すように、板状弾性体７の前後方向Ｐの幅寸法ｄ２を鍔部６，６間の内寸法Ｎと略同一とし、且つ、横框５の接続端部５ａの前後方向Ｐの幅寸法Ｋよりも若干長くしている（ｄ２≒Ｎ＞Ｋ）。これにより、板状弾性体７の前後両端部７ａ，７ｂを除く部分に横框５の接続端部５ａが圧接可能となっている。
【００１８】
しかして、上記のように矩形状に組み立てられる框枠２の各コーナー部において、縦框４と横框５との当接面に板状弾性体７を挟み込み、縦框４と横框５とで板状弾性体７を挟圧した状態で縦框４と横框５とを一体にネジ結合しているので、板状弾性体７の弾性力が常にドア１の面方向（図５、図６の前後方向Ｐ）の回転に対して抗力となる。つまり、縦框４と横框５とが捩じれようとするのを、板状弾性体７の元に戻ろうとする弾性力によって抑制することができるので、上吊り式ドア、或いは、上吊り式以外の強度的に弱い大型且つ軽量のドアであっても、捩じれが発生しなくなり、結果、長期にわたって外観性が良く、スムーズな開閉ができる効果が得られる。
【００１９】
ここで図８（ａ）は、上記矩形状に組み立てた框枠２の上端部の左右２箇所のコーナー部（ランナー１１が位置するＣ点、Ｄ点）、及び下部の一方のコーナー部（Ｅ点）をそれぞれ固定し、下部の他方のコーナー部（Ｆ点）だけをフリーにして、このＦ点に上記框枠２の面方向に向かって所定方法（例えば、ハンマーで叩く方法等）で荷重をかけ、このときに発生する変位と残留捩じれとをプッシュプルゲージを用いて測定する場合の一例を示しており、図８（ｂ）はその実験結果を示すグラフである。この実験では、框枠２のサイズを例えば幅Ｖを８６８ｍｍ、高さＵを２９４ｍｍとし、横框５の高さＨを９０ｍｍ、厚み（図８（ａ）の紙面に対して垂直方向の厚み）を３０ｍｍとした。この実験によれば、Ｆ点に対して２．５ｋｇｆ、４ｋｇｆ、５ｋｇｆの荷重をかけたところ、従来では図８（ｂ）のラインＬ１のように残留捩じれが１９ｍｍ、２８ｍｍ、３３ｍｍとそれぞれ増加するのに対し、本発明ではラインＬ２のように残留捩じれが５ｍｍ、８ｍｍ、９ｍｍとそれぞれ小さく抑えられ、板状弾性体７による捩じれ抑制効果が大であることが分かった。
【００２０】
しかも、框枠２の組み立て時においては、縦框４から突設した前後一対の鍔部６によって縦框４に対する横框５の前後方向Ｐの位置決めが容易になると共に、板状弾性体７の前後方向Ｐの位置決めも容易となる。つまり、鍔部６，６間に板状弾性体７を挿入するだけで、縦框４の連結用孔１６，１９と板状弾性体７の開口部３５，３５との位置決めが簡単に行なわれ、さらに鍔部６，６間に横框５の接続端部５ａを嵌め込込むだけで、組立ネジ２０を縦框４から板状弾性体７の開口部３５に貫通させて、横框５のタッピンホール２１に螺入させる作業がきわめて容易となり、組み立て作業がはかどる。
【００２１】
そのうえ、框枠２の組み立て後は、板状弾性体７が縦框４の鍔部６，６間に隠されて外部に露出せず、室内から見えなくなるため、板状弾性体７の外観上の納まりが良くなり、框枠２の見栄えが良好に保たれるようになる。
【００２２】
また本例では、図３に示すように、横框５の前後方向Ｐの両側において横框５と鍔部６との間にクリアランスＳが生じるように、鍔部６，６間の内寸法Ｎを横框５の接続端部５ａの前後方向Ｐの幅寸法Ｋよりも若干長く形成してあるので、横框５と鍔部６との間にクリアランスＳを確保できると共に、板状弾性体７の前後両端部７ａ，７ｂが横框５によって圧接されなくなる。つまり、横框５と鍔部６との間のクリアランスＳの部分で、板状弾性体７の前後両端部７ａ，７ｂが逃げて肉盛り状態となるため、横框５の接続端部５ａが板状弾性体７に食い込み易くなり、結果、横框５を板状弾性体７に強く圧接させることができ、板状弾性体７による捩じれ抑制効果が一層向上する。そのうえ板状弾性体７によって框枠２の各コーナー部における断熱性、気密性、水密性等が一段と向上する利点もある。
【００２３】
本発明の框枠２は、上吊り式以外のドアに広く適用可能である。また一枚ドアに限らず、二枚折りドアや三枚折り以上のドアにも広く適用可能である。
【図面の簡単な説明】
【００２４】
【図１】本発明の一実施形態を示す分解斜視図である。
【図２】同上の縦框と横框とのコーナー部を正面から見た図である。
【図３】（ａ）は同上の板状弾性体を縦框と横框とで挟圧した状態を上面から見た図、（ｂ）は（ａ）のＡ部の拡大図である。
【図４】同上の框枠の正面図である。
【図５】図４のＢ―Ｂ線から見た一部省略した平面断面図である。
【図６】同上の框枠の一部省略した縦断面図である。
【図７】（ａ）は同上のドアの下端部のガイド装置を説明する正面断面図、（ｂ）は縦断面図である。
【図８】（ａ）は框枠の変位と残留捩じれとをプッシュプルゲージを用いて測定する場合の一例を説明する正面図、（ｂ）はその実験結果を示すグラフである。
【符号の説明】
【００２５】
２  框枠
４  縦框
４ａ  側面部
５  横框
５ａ  接続端部
６  鍔部
７  板状弾性体
７ａ，７ｂ  前後両端部
ｄ１  板状弾性体の厚み
ｄ２  板状弾性体の前後方向の幅寸法
Ｋ  横框の前後方向の幅寸法
Ｍ  鍔部の突出寸法
【図１】
2006200193.tif 000003
【図２】
2006200193.tif 000004
【図３】
2006200193.tif 000005
【図４】
2006200193.tif 000006
【図５】
2006200193.tif 000007
【図６】
2006200193.tif 000008
【図７】
2006200193.tif 000009
【図８】
2006200193.tif 000010